(57)【要約】      （修正有）【課題】バネ等の弾性復帰力を利用して、折畳み時に要する人力を軽減しかつ円滑な折畳み動作を呈する薄型構造の折畳式すのこベッドを提供する。【解決手段】ほぼ同形状のすのこ２枚を水平展開及び折畳み自在に連結する。底面の２箇所に係止金具を取付ける。取り付け位置は連結部中央から、すのこ同士を連結する連結部に直角方向で、一つは連結部から数えて一枚目と二枚目のすのこの中間付近とし、いま一つは一つ目の取り付け位置とは逆方向で、連結部から数えて五枚目と六枚目のすのこの中間付近とする。この２箇所に取り付けた係止金具にコイルバネＣを張架する。コイルバネＣは、すのこベッドが折畳まれた状態で、収縮した状態になるように張架する。コイルバネＣは、すのこベッド本体厚みの内側に位置するように取り付けることにより、折畳みすのこベッドを水平展開した状態では、コイルバネＣの収縮力が、２枚のすのこを連結部分に引きつける方向に働き、水平展開の状態が保持される。【選択図】図４
0003198761.tif 000002
【実用新案登録請求の範囲】
【請求項１】
ほぼ同形状のすのこ２枚を水平展開及び折畳み自在に連結した薄型の折畳式すのこベッドにおいて、
すのこの裏側が相互に近接するよう、逆Ｖ字型の方向に折畳まれるよう、すのこベッドの底面に、すのこ同士を連結する連結部に対して直角方向に連結部を跨いだ左右非対称の位置で取り付けた二つの係止金具に、すのこベッドの厚みの内側に収まるように弾発素材を張架するとともに、張架された弾発素材は、すのこベッドが折畳まれた状態の時に、収縮した状態になるようにしたことを特徴とする折畳式すのこベッド。
【考案の詳細な説明】
【技術分野】
【０００１】  本考案は、折畳式ベッドの、折畳み機構に関する。
【背景技術】
【０００２】  従来より折畳式ベッドは、折畳む際の人力軽減手段として様々な方法が考案実施されている。例えば特許登録第３０１５０１２では、台座と両枠体の間にバネ手段を設け、バネの弾性復帰力を利用して、折畳み作業の人力を補助する構造が考案実施されている。これら従来の考案は共通して、側面視、ベッド枠体とバネ及び支柱の構造が三角形をなし、バネの取り付け位置が、脚部側最端部と、折畳み部支柱の床面近くに設定されている。
【先行技術文献】
【特許文献】
【０００３】
【特許文献１】  特許登録３０１５０１２
【特許文献２】  特願平１１−２１２５９５
【考案の概要】
【考案が解決しようとする課題】
【０００４】  本考案の課題は、薄型の折畳式すのこベッドにおいて、従来の技術であるバネの弾性復帰力を利用した折畳方式は薄型構造の理由で使用出来なかった。本考案は薄型構造であってもバネ等の弾性復帰力を利用して、折畳み時の人力を軽減し、かつ、円滑な折畳み動作を呈する機構を提供することにある。
【課題を解決するための手段】
【０００５】  ほぼ同形状のすのこ２枚を水平展開及び折畳み自在に連結した薄型の折畳式すのこベッドにおいて、すのこの裏側が相互に近接するよう、逆Ｖ字型の方向に折畳まれるよう、すのこベッドの底面に、すのこ同士を連結する連結部に対して直角方向に連結部を跨いだ左右非対称の位置で取り付けた二つの係止金具に、すのこベッドの厚みの内側に収まるように弾発素材を張架する。張架された弾発素材は、すのこベッドが折畳まれた状態の時に、収縮した状態になるようにした。
【考案の効果】
【０００６】  従来の技術になる折畳式ベッドの折畳み機構は、薄型の折畳式ベッドには構造上利用できなかった。本考案による折畳み機構は、薄型の折畳式ベッドでも、薄型でない折畳式ベッドでも利用することができる。薄型でない折畳式ベッドに利用した場合には、ベッド下の空間を広く有効活用可能となる。
コイルバネ等の弾性部材は取付け位置や数量がベッドの仕様によって変更可能である。折畳み時の持ち手を兼ねた指詰め防止部材を持って連結中央部を持ち上げると、図１２に示すように連結部が、コイルバネの上部位置に移動した時点で、弾性部材の収縮力が折畳みの補助力として作用し折畳む際の人力が軽減され、側端部に取付けた回転体の相乗効果で円滑な折畳み動作が出来る。
【図面の簡単な説明】
【０００７】
【図１】  本考案の実施の形態における水平展開時、ベッドとして使用する時の平面図である。
【図２】  本考案の実施の形態における水平展開時、ベッドとして使用する時の底面図である。
【図３】  本考案の実施の形態における水平展開時、ベッドとして使用する時の正面図である。
【図４】  本考案の実施の形態における折畳み途中の正面図である。
【図５】  本考案の実施の形態におけるコイルバネを係止金具に取り付けた状態を示す拡大斜視図である。
【図６】  本考案の実施の形態における折畳み時の持ち手を兼ねた指詰め防止部材と連結部品を示す、水平展開時、ベッドとして使用する時の拡大した底面の斜視図である。
【図７】  本考案の実施の形態における水平展開時、ベッドとして使用する時の折畳み時の持ち手を兼ねた指詰め防止部材と連結部品を示す拡大したＡ−Ａ’断面図である。
【図８】  本考案の実施の形態における折畳み途中の折畳み時の持ち手を兼ねた指詰め部材と連結部品を示す拡大したＡ−Ａ’断面図である。
【図９】  本考案の実施の形態における折畳み時の折畳み時の持ち手を兼ねた指詰め部材と連結部品を示す拡大したＡ−Ａ’断面図である。
【図１０】  本考案の実施の形態における水平展開時、ベッドとして使用する時のすのこ連結部で底面の拡大斜視図である。
【図１１】  本考案の実施の形態における折畳み時の正面図である。
【図１２】  本考案の実施の形態における折畳み開始時の正面視の断面図である。
【考案を実施するための形態】
【０００８】  以下、本考案の実施の形態を図面を参照して説明する。
図１は本考案の実施の形態の水平展開した状態の平面図、図２は本考案の実施の形態の水平展開した状態の底面図である。図１０で詳細に示すように二枚のすのこは、折畳み、水平展開自在となるよう連結部材および連結部材固定部品により連結されていて、連結部表側には折畳み時の持ち手を兼ねた指詰め防止部材が、図６、図７、図８および図９に示す通り、Ｌ型部品により回動可能に取り付けてある。
二枚のすのこの連結部分中央位置から、すのこ連結部に対して直角の方向に係止金具が２箇所取り付けてある。係止金具の取り付け位置は、図２にある通りすのこの裏面で、片側は連結部から数えて一枚目と二枚目のすのこの中間付近で、もう一方は連結部から数えて五枚目と六枚目のすのこの中間付近としてある。係止金具にはコイルバネが張架してある。この時コイルバネは引っ張られて伸びた状態になっておりこのコイルバネの収縮力が二枚のすのこを連結部方向に引き寄せ水平展開した状態を保っている。またこのコイルバネの収縮力は、折畳式すのこベッドを折り畳む際の補助力として作用し、小さい力で折畳み操作を行うことが出来る。
【０００９】  図３は本考案の実施の形態の水平展開した状態の正面図である。
二枚のすのこの接触面は床面に対して垂直に形成されていて、水平展開時にすのこの接触面は密着し、すのこベッドの底面は連結部で折れ曲がることなく平面な構造となっている。
コイルバネは、すのこベッド本体の厚みの内側に係止金具にＳ字金具を介して取り付けられ、この時のコイルバネは引き伸ばされた状態となっている。上記すのこ接触面の構造と、コイルバネの収縮力及びコイルバネ取り付け位置が二枚のすのこを水平展開した状態に安定させている。
【００１０】  図４は本考案の実施の形態の折畳式すのこベッドの折畳み途中の状態を説明した正面図である。すのこ片側の側端部に取り付けた回転体により折畳み動作がより滑らかに行える。
【００１１】  図５は本考案の実施の形態の折畳式すのこベッドに取り付けてあるコイルバネと係止金具を説明した図である。コイルバネはＳ字金具により係止金具に張架してある。
【００１２】  図６は本考案の実施の形態の折畳式すのこベッドの、折畳み時の持ち手兼指詰め防止部材とＬ型部品を説明した拡大斜視図である。図７、図８および図９は折畳み時の持ち手兼指詰め防止部材とＬ型部品の関係を説明した拡大断面図である。折畳み時の持ち手兼指詰め防止部材はＬ型部品と木ねじＢにより固定されていて、Ｌ型部品に開けられた楕円形の穴Ｇに係止ネジＦを介して２枚のすのこ連結部の脚部内側４箇所に回動可能に取り付けてある。
【００１３】  図１０は本考案の実施の形態の折畳式すのこベッドのすのこ連結部分を説明した部分拡大図である。すのこ連結部脚部の裏側に帯状の連結部材を連結部両側に差渡し、その上に連結部材固定部品を置き、木ねじＥで固定してある。連結部材固定部分のすのこ脚部は、連結部材と連結部材固定部品の厚みの分切り欠き処理がしてあり、これにより連結部材固定部品はすのこ脚部裏面より出っ張ることはない。
【００１４】  図１１は本考案の実施の形態の折畳式すのこベッドの折畳んだ状態を説明する正面図である。この時係止金具にＳ字金具を介して張架してあるコイルバネは収縮した状態になっている。
【００１５】  以上説明したように本考案の実施の形態の折畳式すのこベッドは、コイルバネを係止金具に、Ｓ字金具を介してベッド裏面に張架してあり、すのこベッド本体厚みの内側に収まる位置で、連結部に対し直角方向に連結部を跨いだ左右非対称の位置に取り付けることにより、水平展開時にはコイルバネの収縮力がベッドの使用状態である水平展開面を安定させ、折り畳む際にはコイルバネの収縮力が人力を大幅に小さく出来る効果を持つ。このコイルバネの取り付け位置構造は従来の折畳式ベッドにも応用可能で、その際はベッド下の空間を広く有効に使用する事が可能となる。
【００１６】  本願考案に係るコイルバネは、複数を平行に取り付けても良い。
【符号の説明】
【００１７】１  連結部材固定部品
２  係止金具
３  折畳み時の持ち手兼指詰め防止部材
４  回転体
５  クッション材
６  Ｓ字金具
７  連結部材
Ａ−Ａ’  断面図位置確認線
Ｂ  木ねじ
Ｃ  コイルバネ
Ｄ  Ｌ型部品
Ｅ  木ねじ
Ｆ  係止ネジ
Ｇ  Ｌ型部品に開けられた楕円形の穴
【図１】
0003198761.tif 000003
【図２】
0003198761.tif 000004
【図３】
0003198761.tif 000005
【図４】
0003198761.tif 000006
【図５】
0003198761.tif 000007
【図６】
0003198761.tif 000008
【図７】
0003198761.tif 000009
【図８】
0003198761.tif 000010
【図９】
0003198761.tif 000011
【図１０】
0003198761.tif 000012
【図１１】
0003198761.tif 000013
【図１２】
0003198761.tif 000014